(57)【要約】      （修正有）【課題】  施工面が急勾配であっても、その修景を短期間で完了することができ、且つ低コストで施工をすることのできる新規な法面等の修景方法の開発を提供する。【解決手段】  植生７として生育方向に指向性を持ったつた植物を採用し、ハンギング種の植生７Ｄと、クライミング種の植生７Ｕとを、それぞれの生育方向が対向するように施工面上に配置することにより、これら植生７の成長による施工面の被覆が短期間で行われるようにしたことを特徴として成り、施工対象となる法面Ｓが急勾配である等、木本の設置が困難である場合であっても、対向して配置されたハンギング種の植生７Ｄと、クライミング種の植生７Ｕとの双方の植生が接近しながら成長することによってなされるため、施工面全域の修景を短期間で完了することが可能となる。また使用する植生７の株数が少なくて済み、コストダウンを図ることができる。【選択図】図１
2007291724.tif 000002
【特許請求の範囲】
【請求項１】
法面等の施工面に対して、植生と、この植生に適合した客土とを設置することにより、前記植生の成長に伴う施工面の被覆によって修景がなされるようにする工法において、前記植生として生育方向に指向性を持ったつた植物を採用し、ハンギング種の植生と、クライミング種の植生とを、それぞれの生育方向が対向するように施工面上に配置することにより、これら植生の成長による施工面の被覆が短期間で行われるようにしたことを特徴とする法面等の修景方法。
【請求項２】
前記植生を三段以上で配列する場合には、中間の段に対してはハンギング種の植生とクライミング種の植生との双方を設置することを特徴とする請求項１記載の法面等の修景方法。
【請求項３】
前記施工面に対して植生金網篭を設置し、この植生金網篭内に前記植生及び客土を収容することを特徴とする請求項１または２記載の法面等の修景方法。
【請求項４】
前記施工面に対して、ラス網を張設し、その上にモルタル面を形成し、更にその上にヤシマットを敷設し、更にその上にラス網を張設し、その上に前記植生金網篭を設置することを特徴とする請求項３記載の法面等の修景方法。
【発明の詳細な説明】
【技術分野】
【０００１】
本発明は道路側脇部に面した法面等に植生を植栽し、この植生の成長による施工面の被覆によって修景を行う方法に関するものであり、特に植生の成長による施工面の被覆を短期間で且つ低コストで行うことのできる手法に係るものである。
【背景技術】
【０００２】
従来より、山間部に建設された道路の側脇部に面した法面等には、崩落等の災害防止を目的としてモルタルを吹き付けることが行われてきた。しかしながら近年では、景観を損なわないようにするため、あるいは生態系保全のための自然環境の連続性確保を目的として、モルタル面に対して客土を設置するとともに植生を定着させ、この植生の成長による施工面の被覆によって修景を行う緑化工法を施すことが主流となっている。
【０００３】
このような状況の下、本出願人は、上述したような緑化工法の開発に着手し、新たな土留めストッパ並びにこの土留めストッパを用いた緑化工法を開発し、既に実用新案権、意匠権、特許権の取得に至っている（例えば特許文献１〜３参照）。
これら一連の技術は、基本的に木本の苗木を保持する土留めストッパを用い、法面全域に苗木を点在させて定着させ、木本の成長によって枝葉による修景と根による客土の崩落防止を図るといった技術に関連するものである。
【０００４】
ところで施工対象となる法面が急勾配である等、木本の設置が困難である場合には、斜面に沿って広がるように育成するつた類を植生として採用することも行われているが、一般的につる植物は成長が遅いため、修景に長期間を要してしまっているのが実情である。
もちろん上述した土留めストッパを用いて草本を法面の全域に設置することにより、修景を早期に完了させることも可能ではあるが、土留めストッパや草本の株の数が増すことによりコスト増大を招いてしまうことは避けられない。
【特許文献１】登録実用新案第２５４１４２５号公報
【特許文献２】意匠登録第９３８００５号公報
【特許文献３】特許第２６６０３１５号公報
【発明の開示】
【発明が解決しようとする課題】
【０００５】
本発明は、このような背景を認識してなされたものであって、施工面が急勾配であっても、その修景を短期間で完了することができ、且つ低コストで施工をすることのできる新規な法面等の修景方法の開発を試みたものである。
【課題を解決するための手段】
【０００６】
すなわち請求項１記載の法面等の修景方法は、法面等の施工面に対して、植生と、この植生に適合した客土とを設置することにより、前記植生の成長に伴う施工面の被覆によって修景がなされるようにする工法において、前記植生として生育方向に指向性を持ったつた植物を採用し、ハンギング種の植生と、クライミング種の植生とを、それぞれの生育方向が対向するように施工面上に配置することにより、これら植生の成長による施工面の被覆が短期間で行われるようにしたことを特徴として成るものである。
この発明によれば、施工対象となる法面が急勾配である等、木本の設置が困難である場合であっても、つた植物による施工面の被覆によって修景を行うことができる。
またこのような修景は、対向して配置されたハンギング種の植生と、クライミング種の植生との双方の植生が接近しながら成長することによってなされるため、施工面全域の修景を短期間で完了することが可能となる。
またこのため使用する植生の株数が少なくて済み、コストダウンを実現することができる。
【０００７】
また請求項２記載の法面等の修景方法は、前記要件に加え、前記植生を三段以上で配列する場合には、中間の段に対してはハンギング種の植生とクライミング種の植生との双方を設置することを特徴として成るものである。
この発明によれば、中間の段からは上下方向に植生が育成することとなり、施工面全域の修景を短期間で完了することが可能となる。
【０００８】
更にまた請求項３記載の法面等の修景方法は、前記要件に加え、前記施工面に対して植生金網篭を設置し、この植生金網篭内に前記植生及び客土を収容することを特徴として成るものである。
この発明によれば、植生金網篭から通過した植生の根が施工面に沿って育成することができるため、植生の健全な育成と定着を促進することができる。
【０００９】
更にまた請求項４記載の法面等の修景方法は、前記請求項３記載の要件に加え、前記施工面に対して、ラス網を張設し、その上にモルタル面を形成し、更にその上にヤシマットを敷設し、更にその上にラス網を張設し、その上に前記植生金網篭を設置することを特徴として成るものである。
この発明によれば、崩落等の災害防止を目的として吹き付けられるモルタルを上にヤシマットが敷設されるため、保水効果、断熱効果により、著しい温度上昇を引き起こして植栽にダメージを与えてしまうことがない。
また植生金網篭の下にはラス網が張設されるため、ハンギング種の植生がこれに絡み付いて下方に向かって生育することができる。
更にまた間接クライミング種の植生がラス網に絡み付いて上方に向かって生育することができる。
そしてこれら各請求項記載の発明の構成を手段として前記課題の解決が図られる。
【発明の効果】
【００１０】
本発明によれば、ハンギング種の植生と、クライミング種の植生とが、それぞれの生育方向が対向するように配置されるため、これらの植生の成長による施工面の被覆を早期に完了することができ、また低コストでの施工を実現することができる。
【発明を実施するための最良の形態】
【００１１】
以下本発明を実施するための最良の形態について、図示の実施例に基づいて説明するものであるが、この実施例に対して、本発明の技術的思想の範囲内において適宜変更を加えることも可能である。
【実施例】
【００１２】
本発明の「法面等の修景方法」は、山間部に建設された道路の側脇部に面した法面Ｓ等の施工面に対して、後述する植生７と、この植生７に適合した客土６とを設置することにより、前記植生７の成長による施工面の被覆によって、周辺の自然環境と調和した修景・緑化がなされるようにする施工方法である。
そして前記植生７として、生育方向に指向性を持った植物を採用し、この植生７の成長による施工面の被覆が短期間で行われるようにしたものである。
なおこの実施例では一例として図１、２に示すように、前記施工面たる法面Ｓに対して、ラス網１を張設し、その上にモルタル面２を形成し、更にその上にヤシマット３を敷設し、更にその上にラス網４を張設し、その上に客土６及び植生７を収容する植生金網篭５が設置されるような施工が行われるものとした。
【００１３】
以下、本発明の修景方法について説明を行うものであり、施工の手順とともに各工程で供される諸部材について随時説明を行う。
なおこの実施例では、中腹部分に中段Ｓ２が形成された法面Ｓを施工面とするが、もちろんこのような段差が形成されていない法面Ｓであっても施工対象となる。
〔法面清掃工程〕
初めに施工面たる法面Ｓの清掃を行うものであり、浮石、草木の根など、モルタルやコンクリートの付着、品質に悪影響を及ぼすものを除去する。
また極端な凹凸がある場合は適宜慣らすとともに、更に湧水があった場合には適切な処理を施すようにする。
【００１４】
〔ラス網張り工程〕
次に前記法面Ｓの凹凸に従ってラス網１を張設するものであり、適宜大小のアンカーピン１１を用いて法面Ｓの表面に固定する。なおこの際、ラス網１の重ね合わせは１０ｃｍ以上とし、またアンカーピン１１の打設はハンマーによる打ち込み、ハンマードリルによる削孔・打設とする。
なお前記ラス網１としては、一例としてφ２．０×５０×５０ｍｍの金網がビニル樹脂によって被覆されたものを用いた。
【００１５】
〔モルタル・コンクリート打設工程〕
次いでモルタル面２を形成するものであり、前記ラス網１の上からモルタル・コンクリート２１を湿式によって打設する。
なおモルタル・コンクリート２１の配合は、吹付開始前に水セメント比５０、５５、６０％の三種類の試験練を行い、練り混ぜ状況、ワーカビリティー、圧縮強度試験結果から判断して最適なものを選択する。
また吹き付けはサンドポケットができないように跳ね返り物を十分に排除しながら行うものとする。
更に打ち継ぎ目となる個所は清掃し、十分に湿らせて接続の馴染みが良くなるようにし、層吹きは行わないようにする。
【００１６】
〔モルタル面補強工程〕
次に前記モルタル・コンクリート２１が乾いてモルタル面２が形成された時点で、このモルタル面２の補強を行うものであり、まず後述する補強材２５を挿入するための孔２２を、一例としてスカイドリル（バックホウタイプ）を用いて穿孔する。この際、穿孔位置、穿孔角度に注意しながら、所定の穿孔長を確保するようにする。また穿孔完了後には、孔２２内のスライムをエアーにより除去しておく。
次に前記孔２２内にセメントミルク２３を注入し、更に補強材２５の主要部材である鋼棒２５１を挿入するものであり、この際、鋼棒２５１をスリーブ状のスペーサ２５２に挿通させてこれらを孔２２内に挿入することにより、鋼棒２５１が孔２２の中心に位置するようにする。
なお前記鋼棒２５１は、その一端にねじ山が形成された一例として直径１６ｍｍ長さ６００ｍｍの棒状部材である。
【００１７】
その後セメントミルク２３が十分に硬化した時点で、前記鋼棒２５１の露出部分に頭部プレート２５３を装着し、ナット２５４で固定する。この際、モルタル面２に凹凸がある場合には頭部プレート２５３とモルタル面２との間にモルタルを充填し、頭部プレート２５３とモルタル面２との密着を図るようにすることが好ましい。
因みに前記補強材２５としては、本出願人による発明である、特願２００５−０４９１５７「法面の修景方法並びにこれに用いるスポットアンカー」に記載されたスポットアンカーを用いてもよい。
【００１８】
〔ヤシマット敷設工程〕
次に前記モルタル面２の全域にヤシ繊維で形成されたヤシマット３（一例として厚さ１０ｍｍ）を敷設し、座金付きのコンクリート釘３１にて固定する。
このようなヤシマット３は、保水、排水、保温等を担うものであり、同様の性状を有するものであれば、他の素材で形成することも可能であって、例えばヤシ以外の植物性長繊維や合成樹脂製の長繊維を用いてマット状に形成したり、あるいは軟性の発泡合成樹脂を用いてマット状に形成することも可能である。
なおヤシマット３の設置面積や厚さについては、施工面の環境に応じて適宜調整することにより、保水性、排水性、保温性の最適化やコストダウンを図るようにする。
【００１９】
〔植生補助金網張り工程〕
次に前記ヤシマット３の全域にラス網４を張設し、アンカーピン４１にて固定するものであり、この際、ラス網１の重ね合わせは１０ｃｍ以上とし、またアンカーピン４１の打設はハンマーによる打ち込み、ハンマードリルによる削孔・打設とする。
なお前記ラス網４としては、一例としてφ２．６×５０×５０ｍｍの金網がビニル樹脂によって被覆されたものを用いた。
このラス網４は、植生７が成長するときの絡み付き個所として機能することとなるものである。
【００２０】
〔植生金網篭設置工程〕
次に植生金網篭５を設置するものであり、このものは、植生７とともに、これに適した客土６を収容するものである。これに因み植生金網篭５は、通気性及び通水性を有することはもちろん、根が通過できるような構成が採られるものである。
具体的に植生金網篭５は図３に示すように、一例として直径４〜５ｍｍの亜鉛アルミ合金メッキ線が１００×１００ｍｍの格子状に組まれて形成された底板５１と、同様の線材が５０×１００ｍｍの格子状に組まれて形成された側板５２とを、結合コイル５３を用いて４００×１０００×４５０ｍｍ、４００×２０００×４５０ｍｍ程の箱形に組み立てたものである。
このような植生金網篭５は図３（ａ）に示すように、予め長寸の側板５２二枚を結合コイル５３により底板５１に組み付けて折り畳んだ状態で現場に持ち込まれるものであり、現場において作業者が図３（ｂ）に示すように側板５２を展開し、更に図３（ｃ）に示すように短寸の側板５２を四本の結合コイル５３により組み付けることにより、植生金網篭５が完成する。
このため植生金網篭５を効率的に運搬することができるとともに、容易に組み立てることが可能となるものである。
なお植生金網篭５の代わりに、樹脂繊維等の繊網体によって形成された袋状物を用いることもできる。この場合、繊網体の素材としては、生分解性樹脂または麻、木綿等の植物繊維の使用も可能である。
【００２１】
そして前記植生金網篭５を法面Ｓの最下段Ｓ１、中段Ｓ２及び最上段Ｓ３にそれぞれ設置するものであり、この実施例では一例として図６に示すように植生金網篭５を連続して直線状に設置するようにしたが、図７に示すように正面視で千鳥格子状になるように配置してもよい。
また植生金網篭５の固定は図２に示すように、正面の側板５２を支えるようにアンカーピン５４を打ち込むとともに、必要に応じて法面Ｓ側にもアンカーピン５４を打ち込み、これらのアンカーピン５４と植生金網篭５とをメッキバインド線５５によって結束することにより行われる。
【００２２】
次いで図４に示すように、植生金網篭５の内側に植生７の保護のための遮光ネット５７を貼設するとともに、断熱シート５６を側板５２の裏側部分の遮光ネット５７の内側に貼設し、更に排水性を向上させて根腐れを防止するためにパーライト５８を底から５ｃｍ程まで敷き詰める。
なお前記断熱シート５６及び遮光ネット５７は、施工面の環境に応じて適宜増減させることにより、植生７の保護の最適化やコストダウンを図るようにする。
【００２３】
次いで植生金網篭５内に客土６を投入するものであり、この実施例では、植生７に適合したものとするために、客土材６１、土壌改良材６２及び固形肥料６３を適宜配合して客土６を調製するようにした。
なお前記固形肥料６３については、植生７の栽工が済んだ時点で、根に触れないように埋め込むものとする。
また前記植生金網篭５は、図２に示すように斜面に接しないように設置するのが好ましく、これは植生７が健全に育つためには、適度の通気性が必要だからである。
しかしながら現場の状況等により植生金網篭５を法面Ｓに接して設ける必要がある場合には、図５並びに図３中仮想線で示したように一対の側板５２の形状を台形にした植生金網篭５が用いられる。
【００２４】
〔植栽工程〕
そして図６に示すように植生７を植栽するものであり、この植生７として生育方向に指向性を持った植物を採用し、ハンギング種の植生７Ｄと、クライミング種の植生７Ｕとが、それぞれの生育方向が対向するように配置し、植生７の成長による施工面の被覆が短期間でなされるようにする。
植生７としてはつた類が採用されるものであり、更には主として壁面に貼り付いたり樹木に絡み付きながら上方に向かって生育するクライミング種の植生７Ｕと、壁面に貼り付かずに下垂した状態で下方に向かって育成するハンギング種の植生７Ｄものとが選択的に採用される。
前記クライミング種の植生７Ｕとしては、直接クライミング種であるヘデラ・ヘリックス、キズタ（フユズタ）、ナツズタ、イタビカズラ等や、間接クライミング種であるムベ、ツリガネカズラ等が挙げられる。
一方、前記ハンギング種の植生７Ｄとしては、ヘデラ・カナリエンシス、フクリンツルニチニチソウ等が挙げられる。
また前記ナツズタは落葉性の品種であり、その他のものは常緑性の品種であるので、例えば紅葉等の周辺環境に応じて、これら落葉性、常緑性の品種を適宜選択したり混在させることにより、違和感の無い修景を行うことができるものである。
【００２５】
そして前記法面Ｓの上部にハンギング種の植生７Ｄを設置するものであり、最上段Ｓ３及び中段Ｓ２に設置された植生金網篭５の客土６に植栽する。
また前記法面の下部にクライミング種の植生７Ｕを設置するものであり、最下段Ｓ１及び中段Ｓ２に設置された植生金網篭５の客土６に植栽する。
すなわち中段Ｓ２には、ハンギング種の植生７Ｄとクライミング種の植生７Ｕとの双方が設置されるものであり、この結果、最下段Ｓ１と中段Ｓ２との間、並びに中段Ｓ２と最上段Ｓ３との間で、ハンギング種の植生７Ｄと、クライミング種の植生７Ｕとが、それぞれの生育方向が対向するように配置されることとなる。
【００２６】
次いで前記客土６の表面をマルチング材６４によって３ｃｍ程の厚さで覆うことにより、雑草の繁殖を防いで植生７の生育が阻害されないようにする。
因みにこのマルチング材６５としては、本出願人による発明である特許第１７９５１９６号「樹皮製マルチング材の製造方法」によって製造された、樹皮を細かく不定形に破砕し、その表面に希釈したアスファルト乳剤と糊料との混合液を散布して、暗褐色に着色すると共に適度な粘結性を付与させたものを使用したが、この他にも適宜のものを採用することができる。
【００２７】
〔植生の生育による修景〕
上述のようにして法面Ｓに対する施工が完了すると、やがて植生７が成長することにより、法面Ｓの修景すなわち緑化が進行する。
具体的には、最上段Ｓ３及び中段Ｓ２に設置されたハンギング種の植生７Ｄは、ラス網４に絡み付くことにより、下降しながら成長してゆくこととなる。
一方、最下段Ｓ１及び中段Ｓ２に設置されたクライミング種の植生７Ｕは、ラス網４に絡み付くことにより、上昇しながら成長してゆくこととなる。
このため、ハンギング種の植生７Ｄと、クライミング種の植生７Ｕとが、それぞれの生育方向が対向するように配置された個所においては、図６、７に段階的に示すように上下方向から植生７が伸びてくるため、植生７による法面Ｓの修景が短期間で完了することとなる。
【００２８】
なおクライミング種の植生７Ｕのうち、特に直接クライミング種であるキズタ（フユズタ）、ナツズタ等は、吸盤着毛でラス網４が無くてもヤシマット３やモルタル面２に吸着して上昇しながら成長することができるため、キズタ、ナツズタが先行して成長するようにしておけば、これに対してヘデラ・ヘリックスが絡み付き、上昇しながら成長することが可能となる。したがってクライミング種の植生７Ｕのみが設けられるような場合には、ラス網４の設置が不要となる。
【００２９】
また本発明によると、ヤシマット３が敷設されるため、モルタル面２が露出していた場合には、外気温度が２２℃のときに直射日光による輻射熱が４５℃を超えてしまうが、ヤシマット３による保水効果、断熱効果により、著しい温度上昇を引き起こして植生７にダメージを与えてしまうことがない。
更にまた本発明によると、客土６の表層部はマルチング材６４によって被覆されているため、客土６の乾燥が防止され、更に雑草の繁殖を防止して植生７の生育が促進されることとなる。
【図面の簡単な説明】
【００３０】
【図１】本発明の修景方法による施工が施された法面を一部破断して示す斜視図である。
【図２】本発明の修景方法による施工が施された法面を示す縦断側面図及び横断側面図である。
【図３】植生金網篭の組み立ての様子を段階的に示す斜視図である。
【図４】植生金網篭に客土を収容した状態を示す縦断側面図である。
【図５】形状を異ならせた植生金網篭を示す斜視図である。
【図６】植生が法面を修景する様子を段階的に示す正面図及び縦断側面図である。
【図７】植生金網篭の配置態様を異ならせた場合の植生が法面を修景する様子を段階的に示す正面図及び縦断側面図である。
【符号の説明】
【００３１】
１        ラス網
１１      アンカーピン
２        モルタル面
２１      モルタル・コンクリート
２２      孔
２３      セメントミルク
２５      補強材
２５１    鋼棒
２５２    スペーサ
２５３    頭部プレート
２５４    ナット
３        ヤシマット
３１      コンクリート釘
４        ラス網
４１      アンカーピン
５        植生金網篭
５１      底板
５２      側板
５３      結合コイル
５４      アンカーピン
５５      メッキバインド線
５６      断熱シート
５７      遮光ネット
５８      パーライト
６        客土
６１      客土材
６２      土壌改良材
６３      固形肥料
６４      マルチング材
７        植生
７Ｄ      植生（ハンギング種）
７Ｕ      植生（クライミング種）
Ｓ        法面
Ｓ１      最下段
Ｓ２      中段
Ｓ３      最上段
【図１】
2007291724.tif 000003
【図２】
2007291724.tif 000004
【図３】
2007291724.tif 000005
【図４】
2007291724.tif 000006
【図５】
2007291724.tif 000007
【図６】
2007291724.tif 000008
【図７】
2007291724.tif 000009